(57)【要約】      （修正有）【課題】収納性を維持しつつ、利便性を向上させた財布を提供する。【解決手段】財布本体を備え、財布本体は、紙幣が収納される紙幣収納部１２と、硬貨ｓが収納される硬貨収納部１３と、を有し、紙幣収納部１２は、展開及び折り畳み可能であり、硬貨収納部１３には、紙幣収納部１２の外面と連結される連結面ｊが設けられ、硬貨収納部１３は、連結面ｊを紙幣収納部１２の展開方向Ｘと同方向に回動させることで、硬貨ｓを出し入れ可能に開口することを特徴とする。【選択図】図９
2020092788.tif 000002
【特許請求の範囲】
【請求項１】
財布本体を備え、
前記財布本体は、紙幣が収納される紙幣収納部と、硬貨が収納される硬貨収納部と、を有し、
前記紙幣収納部は、展開及び折り畳み可能であり、
前記硬貨収納部には、前記紙幣収納部の外面と連結される連結面が設けられ、
前記硬貨収納部は、前記連結面を前記紙幣収納部の展開方向と同方向に回動させることで、前記硬貨を出し入れ可能に開口することを特徴とする財布。
【請求項２】
前記財布本体は、カード収納部を有し、
前記カード収納部は、前記紙幣収納部を折り畳むことで、前記紙幣収納部を介して前記硬貨収納部と対向するように、前記紙幣収納部の外面に設けられていることを特徴とする、請求項１に記載の財布。
【請求項３】
前記財布本体の周囲を囲み、前記展開方向と同方向に展開及び折り畳み可能なカバー部を備え、
前記カバー部は、前記硬貨収納部と連結していることを特徴とする、請求項１又は２に記載の財布。
【請求項４】
前記硬貨収納部と前記カバー部との間に、前記紙幣が前記展開方向に沿って挿通される紙幣挿通部が形成されていることを特徴とする、請求項３に記載の財布。
【請求項５】
前記カバー部は、その内面かつ一端に、前記紙幣の一端を固定する紙幣固定部を有していることを特徴とする、請求項３又は４に記載の財布。
【請求項６】
前記紙幣固定部には、前記展開方向に沿って、前記カバー部の他端に向かって突出する固定用舌片が設けられ、
前記固定用舌片は、前記カバー部の折り目上に形成されていることを特徴とする、請求項５に記載の財布。
【請求項７】
前記カバー部は、その内面に、小物収納部を有していることを特徴とする、請求項３〜６の何れかに記載の財布。
【請求項８】
前記小物収納部は、前記展開方向と略垂直な端辺を軸に、前記展開方向に沿って回動可能であることを特徴とする、請求項７に記載の財布。
【請求項９】
前記カバー部は、前記展開方向における両端に、互いに着脱可能な着脱部を有していることを特徴とする、請求項３〜８の何れかに記載の財布。
【請求項１０】
前記着脱部は、前記カバー部の外面かつ一端に設けられる帯状体と、前記カバー部の内面かつ他端に設けられる着脱用舌片と、により構成され、
前記着脱用舌片は、前記カバー部と前記帯状体との間に挿通されることを特徴とする、請求項９に記載の財布。
【発明の詳細な説明】
【技術分野】
【０００１】
本発明は、折り畳み式の財布に係るものである。
【背景技術】
【０００２】
従来から、紙幣や硬貨、カード等を収納した状態で、コンパクトにして持ち運べる、折り畳み式の財布が広く普及している。
【０００３】
このような折り畳み式の財布に関する発明として、例えば、特許文献１には、収容されている硬貨の確認や硬貨の出し入れが容易な財布が記載されている。
【先行技術文献】
【特許文献】
【０００４】
【特許文献１】特願２００１−２６４３７３
【発明の概要】
【発明が解決しようとする課題】
【０００５】
しかしながら、このような折り畳み式の財布は、収納性を向上させるために皮の枚数を増やすと、財布自体の厚みが増してしまい、使い勝手が悪化するという問題があった。
【０００６】
本発明は上記のような実状に鑑みてなされたものであり、高い収納性を維持しつつ、利便性を向上させた財布を提供することを課題とする。
【課題を解決するための手段】
【０００７】
上記課題を解決するために、本発明は、財布本体を備え、
前記財布本体は、紙幣が収納される紙幣収納部と、硬貨が収納される硬貨収納部と、を有し、
前記紙幣収納部は、展開及び折り畳み可能であり、
前記硬貨収納部には、前記紙幣収納部の外面と連結される連結面が設けられ、
前記硬貨収納部は、前記連結面を前記紙幣収納部の展開方向と同方向に回動させることで、前記硬貨を出し入れ可能に開口することを特徴とする。
【０００８】
本発明によれば、連結面が、紙幣収納部を形成する面と硬貨収納部を形成する面とを兼ねているため、財布自体の厚みの増加を抑え、紙幣収納部と硬貨収納部とを設けることが可能となる。また、硬貨収納部は、紙幣収納部の展開方向と同方向の回動動作で、硬貨を出し入れ可能に開口するため、紙幣収納部及び硬貨収納部の使用を、フレキシブルに切り替えることが可能となる。
【０００９】
本発明の好ましい形態では、前記財布本体は、カード収納部を有し、前記カード収納部は、前記紙幣収納部を折り畳むことで、前記紙幣収納部を介して前記硬貨収納部と対向するように、前記紙幣収納部の外面に設けられていることを特徴とする。
【００１０】
このような構成とすることで、紙幣収納部の展開方向と同方向の回動動作により、紙幣収納部、硬貨収納部及びカード収納部の使用を、フレキシブルに切り替えることが可能となる。
【００１１】
本発明の好ましい形態では、前記財布本体の周囲を囲み、前記展開方向と同方向に展開及び折り畳み可能なカバー部を備え、前記カバー部材は、前記硬貨収納部と連結していることを特徴とする。
【００１２】
このような構成とすることで、財布自体の堅牢性を向上させることが可能となる。
【００１３】
本発明の好ましい形態では、前記硬貨収納部と前記カバー部との間に、前記紙幣が前記展開方向に沿って挿通される紙幣挿通部が形成されていることを特徴とする。
【００１４】
このような構成とすることで、例えば一万円札等、使用頻度の少ない紙幣を、紙幣収納部とは別に収納しておくことが可能となる。
【００１５】
本発明の好ましい形態では、前記カバー部は、その内面かつ一端に、前記紙幣の一端を固定する紙幣固定部を有していることを特徴とする。
【００１６】
このような構成とすることで、紙幣挿通部を挿通させた紙幣を、より安定的に固定し、収納しておくことが可能となる。
【００１７】
本発明の好ましい形態では、前記紙幣固定部には、前記展開方向に沿って、前記カバー部の他端に向かって突出する固定用舌片が設けられ、前記固定用舌片は、前記カバー部の折り目上に形成されていることを特徴とする。
【００１８】
このような構成とすることで、カバー部を折り畳んだ状態を長時間維持していると、カバー部を展開させた際、固定用舌片に、カバー部の内面から離間する方向に反り癖が付く。これにより、使用者は、紙幣挿通部を挿通させた紙幣の端部を、紙幣固定部に容易に挿通させることが可能となる。
【００１９】
本発明の好ましい形態では、前記カバー部は、その内面に、小物収納部を有していることを特徴とする。
【００２０】
このような構成とすることで、財布自体の収納性を向上させることが可能となる。
【００２１】
本発明の好ましい形態では、前記小物収納部は、前記展開方向と略垂直な端辺を軸に、前記展開方向に沿って回動可能であることを特徴とする。
【００２２】
このような構成とすることで、小物収納部の対向する両面に収納空間を形成することが可能となる。
また、小物収納部とカバー部の内面との間に紙幣の端部を挟むことができ、紙幣を、より安定的に固定し、収納しておくことが可能となる。
【００２３】
本発明の好ましい形態では、前記カバー部は、前記展開方向における両端に、互いに着脱可能な着脱部を有していることを特徴とする。
【００２４】
このような構成とすることで、カバー部の不意の展開動作を抑制することが可能となる。
【００２５】
本発明の好ましい形態では、前記着脱部は、前記カバー部の外面かつ一端に設けられる帯状体と、前記カバー部の内面かつ他端に設けられる着脱用舌片と、により構成され、前記着脱用舌片は、前記カバー部と前記帯状体との間に挿通されることを特徴とする。
【００２６】
このような構成とすることで、カバー部の着脱作業を容易に行うことが可能となる。
【発明の効果】
【００２７】
本発明によれば、収納性を維持しつつ、利便性を向上させた財布を提供することができる。
【図面の簡単な説明】
【００２８】
【図１】本発明の実施形態に係る財布を折り畳んだ状態の概略斜視図である。
【図２】本発明の実施形態に係る財布のカバー部を展開した際の図であって、（ａ）正面図、（ｂ）背面図、（ｃ）上面図である。
【図３】本発明の実施形態に係る財布の使用方法を示した図であって、（ａ）折り畳んだ状態の概略斜視図、（ｂ）係止手段の部分拡大図である。
【図４】本発明の実施形態に係る財布のカバー部を展開した際の図であって、（ａ）正面図、（ｂ）上面図である。
【図５】本発明の実施形態に係る財布のカバー部を展開した際の図であって、（ａ）正面図、（ｂ）上面図である。
【図６】本発明の実施形態に係る財布の使用方法を示した正面図である。
【図７】本発明の実施形態に係る財布のカバー部及び財布本体を展開した際の図であって、（ａ）正面図、（ｂ）上面図である。
【図８】本発明の実施形態に係る財布のカバー部及び財布本体を展開した際の図であって、（ａ）正面図、（ｂ）上面図である。
【図９】本発明の実施形態に係る財布のカバー部及び財布本体を展開した際の図であって、（ａ）正面図、（ｂ）右側面図、（ｃ）上面図である。
【発明を実施するための形態】
【００２９】
以下、図１〜図９を用いて、本発明の実施形態に係る財布について説明する。
なお、以下に示す実施形態は本発明の一例であり、本発明を以下の実施形態に限定するものではない。また、これらの図において、符号Ａは、本実施形態に係る財布を示す。また、これらの図において、破線は、財布Ａに設けられた縫い目を示す。
【００３０】
図１に示すように、財布Ａは、折り畳まれた状態において、全体として略直方体状に概略構成されており、財布本体１と、財布本体１の周囲を囲み、展開方向と同方向に展開及び折り畳み可能なカバー部２と、を備えている。
【００３１】
カバー部２は、内面に着脱用舌片２１ａ（図２参照）が設けられた第一着脱面２１を有しており、第一着脱面２１は、折り畳んだ状態において、一短辺側側面に露出している。
この状態において、着脱用舌片２１ａは、第二着脱面２２の外面に設けられた帯状体２２ａ（図２参照）と第二着脱面２２との間に挿通され、カバー部２の折り畳まれた状態を維持している。
【００３２】
また、カバー部２は、第二着脱面２２に隣接した面に、外面に収納空間形成シート２３ａが積層された側面２３を有しており、側面２３は、折り畳まれた状態において、一長辺側側面に露出している。
【００３３】
このように、財布Ａが、財布本体１の周囲を囲み、展開方向Ｘ（図２以降参照）と同方向に展開及び折り畳み可能なカバー部２を備えることで、財布Ａ自体の堅牢性を向上させることが可能となる。
また、カバー部２が、互いに着脱可能な着脱用舌片２１ａと帯状体２２ａとを有していることで、カバー部２の不意の展開動作を抑制することが可能となる。
【００３４】
図２は、第一着脱面２１を回転させ、着脱用舌片２１ａが露出するように、第一着脱面２１のみを展開方向Ｘに展開させた際の図である。
【００３５】
図２（ａ）に示すように、着脱用舌片２１ａは、その左辺が第一着脱面２１の内面に縫合されており、帯状体２２ａは、その上端及び下端が第二着脱面２２の外面に縫合されている。
【００３６】
これにより、使用者は、第一着脱面２１を展開方向Ｘに回転させるのみで、着脱用舌片２１ａと帯状体２２ａとの連結状態を容易に解消することが可能となる。
【００３７】
図２（ｂ）に示すように、カバー部２は、第二着脱面２２に対向する側面２４の上端及び下端に、一対の係止手段ｔを有している。
【００３８】
図３は、財布Ａの使用方法を示す概略斜視図である。
【００３９】
図３（ａ）に示すように、使用者は、任意のカードｃを、側面２３と収納空間形成シート２３ａとの間に形成された収納空間に収納することができる。
なお、カードｃの隠れ線は、点線で示している。
【００４０】
図３（ｂ）に示すように、一対の係止手段ｔは、略四角枠状の係止具ｔ１と、係止具ｔ１を収納する係止具収納部ｔ２により構成されている。
【００４１】
使用者は、係止具ｔ１を上方に引き上げることで、係止具ｔ１を、図３（ｂ）の左図から右図の状態（係止具ｔ１の内周面と係止具収納部ｔ２の内面とを接触させた状態）とし、係止具ｔ１を、側面２４の厚さ方向に回動させることができる（矢印ａ）。
【００４２】
これにより、使用者は、係止具ｔ１に紐や帯状体を挿通させることができ、ストラップや服飾品、他の収納部材等を連結しておくことが可能となる。
【００４３】
図４は、第一着脱面２１に隣接する側面２５をさらに展開させた際の図である。
【００４４】
図４に示すように、カバー部２は、側面２５の内面に略長方形状の小物収納部２５ａを有している。
【００４５】
詳述すれば、小物収納部２５ａは、３枚のシート部材が積層されてなり、図４において、カバー部２の内面に最も近いシート部材と中央のシート部材との周縁が縫合されている。
また、図４において、カバー部２の内面から最も離れているシート部材と中央のシート部材との周縁が、一長辺を残して縫合されている。
【００４６】
これにより、小物収納部２５ａには、図４において示されている面が、一長辺側が開口し袋状に形成されたカード収納面２５ａ１として設けられている。使用者は、任意のカードｃを、開口から挿入し、カード収納面２５ａ１に収納することができる（矢印ｂ）。
【００４７】
また、小物収納部２５ａは、開口している長辺と対向する一長辺が、側面２５の内面に縫合されており、使用者は、小物収納部２５ａを、この一長辺を軸として、カバー部２の展開方向Ｘと同方向に回動させることができる。
【００４８】
図５は、小物収納部２５ａを図４から略１８０度回動させ、かつ第二着脱面２２をさらに展開方向Ｘと逆方向に展開させた際の図である。
【００４９】
図５に示すように、小物収納部２５ａには、図４に示す面と対向する面に切り込みｎが形成されている。
【００５０】
これにより、小物収納部２５ａには、図５において示されている面が、２枚のシート部材間の空間に小物を収納可能な小物収納面２５ａ２が設けられている。使用者は、鍵等の任意の小物ｉを、切り込みｎから挿入し、小物収納面２５ａ２に収納することができる（矢印ｃ）。
【００５１】
このように、対向する両面に収納空間が形成された小物収納部２５ａにより、財布Ａ自体の収納性を向上させることが可能となる。
【００５２】
また、財布本体１は、折り畳まれた状態では略長方形状である硬貨収納部１３（図８参照）の両短辺が、カバー部２の内面と縫合されており、財布本体１とカバー部２との間に紙幣挿通部ｐ（図９参照）が形成されている。
さらに、カバー部２は、第二着脱面２２の内面に紙幣ｂの一端を固定する紙幣固定部２２ｂを有している。
【００５３】
紙幣固定部２２ｂについて詳述すれば、紙幣固定部２２ｂは、略長方形状であり、図５における財布本体１側の長辺を残して、その周縁が第二着脱面２２の内面に縫合されている。
また、紙幣固定部２２ｂは、図５における財布本体１側の長辺から、展開方向Ｘに向かって突出する固定用舌片２２ｂ１が設けられている。
さらに、固定用舌片２２ｂ１は、カバー部２の折り目上、即ち、第二着脱面２２と側面２３との境界線ｌ上に形成されている。
なお、第二着脱面２２と側面２３との境界線ｌは、一点鎖線で仮想的に示している。
【００５４】
これにより、使用者は、任意の紙幣ｂを、紙幣挿通部ｐを介してカバー部２の内面に収納しておくことができる（矢印ｄ）。特に、使用者は、例えば一万円札等、使用頻度の少ない紙幣ｂを、紙幣収納部１２（図７参照）に収納する紙幣ｂとは別に収納しておくことが可能となる。
【００５５】
また、固定用舌片２２ｂ１が、第二着脱面２２と側面２３との境界線ｌ上に形成されていることで、カバー部２を折り畳んだ状態を長時間維持していると、図５に示すようにカバー部２を展開させた際、固定用舌片２２ｂ１に、カバー部２の内面から離間する方向に反り癖が付く。
【００５６】
これにより、使用者は、紙幣挿通部ｐを挿通させた紙幣ｂを、紙幣固定部２２ｂに容易に挿通させることができ、紙幣ｂを、カバー部２の内面に安定的に収納しておくことができる。
【００５７】
図６は、財布Ａの使用方法を示す図であって、図６（ａ）は、図４において、小物収納部２５ａのカード収納面２５ａ１にカードｃを収納した際の図、図６（ｂ）は、図５において、小物収納部２５ａの小物収納面２５ａ２に小物ｉを収納し、紙幣挿通部ｐ及び紙幣固定部２２ｂを用いてカバー部２の内面に紙幣ｂを収納した際の図である。
なお、カードｃ、小物ｉ及び紙幣ｂの隠れ線は点線で示している。
【００５８】
図７（ａ）は、図５の状態から小物収納部２５ａを図４の状態となるように回動させ、財布本体１のカード収納部１１を、その開口が見えるように展開方向Ｘに回動させた際の正面図、図７（ｂ）は、図７（ａ）の上面図である。
【００５９】
カード収納部１１は、紙幣収納部１２を折り畳むことで、紙幣収納部１２を介して硬貨収納部１３と対向するように、紙幣収納部１２の外面に設けられている。
なお、紙幣収納部１２は、図７（ｂ）や図５（ｂ）に示されるように、三つ折りの状態で折り畳まれる。
【００６０】
さらに詳述すれば、カード収納部１１は、袋状であり、その一面に指を引っ掛けるための切り欠き１１ａが設けられている。また、カード収納部１１の中央には、仕切り１１ｂが上下に一対設けられている。
【００６１】
これにより、使用者は、切り欠き１１ａに指を引っ掛け、切り欠き１１ａが設けられた面を展開方向Ｘに回動させることで、カード収納部１１の開口を広げ、仕切り１１ｂを挟んで任意の２枚のカードｃをカード収納部１１に収納することができる（矢印ｅ）。
なお、カード収納部１１に収納するカードｃの枚数は、これに限られず、何枚であっても良い。
【００６２】
図８（ａ）は、図７の状態からカード収納部１１を回動させ、紙幣収納部１２を展開方向Ｘに展開させた際の正面図、図８（ｂ）は、図８（ａ）の上面図である。
【００６３】
図８（ａ）に示すように、紙幣収納部１２は、略長方形状のシート部材を長辺方向の略中央で二つに折り曲げ、一長辺を縫合することで形成されている。
なお、図８（ａ）に示すように、折り曲げた短辺に対向する短辺近傍の長辺は縫合されていない。
【００６４】
これにより、使用者は、図８（ａ）に示すように、紙幣収納部１２の一面をめくることができ、容易に紙幣ｂを収納することができる（矢印ｆ）。
【００６５】
図９（ａ）は、図８の状態から、紙幣収納部１２の外面と連結する連結面ｊを展開方向Ｘに回動させることで、硬貨収納部１３を開口させた際の正面図、図９（ｂ）は、図９（ａ）の右側面図である。図９（ｃ）は、図９（ａ）の上面図である。
【００６６】
図９（ａ）に示すように、硬貨収納部１３は、従来の財布に用いられる既知のボックス型構造であり、連結面ｊを展開方向Ｘに回動させることで、展開方向Ｘと略垂直方向に開口する。
また、硬貨収納部１３には、閉口状態を維持する着脱部材ｍが設けられており、着脱部材ｍは、凸部ｍ１と凹部ｍ２とにより構成されている。そして、連結面ｊを、図９（ａ）に示す状態から、展開方向Ｘと逆方向に回動させると、硬貨収納部１３が折り畳まれ、自然に凸部ｍ１と凹部ｍ２とが係合し、閉口状態が維持される。
【００６７】
図９（ｂ）に示すように、折り畳んだ状態で略長方形状の硬貨収納部１３の両短辺がカバー部２の内面と縫合されており、財布本体１とカバー部２との間に紙幣挿通部ｐが形成されている。
【００６８】
このように、連結面ｊが、紙幣収納部１２を形成する面と硬貨収納部１３を形成する面とを兼ねているため、財布Ａ自体の厚みの増加を抑え、紙幣収納部１２と硬貨収納部１３とを設けることが可能となる。
なお、連結面ｊは、袋状であり、カード収納空間ｊ１が形成されている。
【００６９】
また、使用者は、連結面ｊや紙幣収納部１２、カード収納部１１を展開方向Ｘへ回動させることで、紙幣収納部、硬貨収納部及びカード収納部の使用を、フレキシブルに切り替えることが可能となり、図９に示す状態において、任意の硬貨ｓを硬貨収納部１３に収納することができる（矢印ｇ）。
【００７０】
なお、上述の実施形態において示した各構成部材の諸形状や寸法等は一例であって、設計要求等に基づき種々変更可能である。
【符号の説明】
【００７１】
Ａ        財布
１        財布本体
１１      カード収納部
１１ａ    切り欠き
１１ｂ    仕切り
１２      紙幣収納部
１３      硬貨収納部
ｊ        連結面
ｊ１      カード収納空間
ｔ        係止手段
ｔ１      係止具
ｔ２      係止具収納部
ｍ        着脱部材
ｍ１      凸部
ｍ２      凹部
２        カバー部
２１      第一着脱面
２１ａ    着脱用舌片
２２      第二着脱面
２２ａ    帯状体
２２ｂ    紙幣固定部
２２ｂ１  固定用舌片
２３      側面
２３ａ    収納空間形成シート
２４      側面
２５      側面
２５ａ    小物収納部
２５ａ１  カード収納面
２５ａ２  小物収納面
ｎ        切り込み
ｐ        紙幣挿通部
ｃ        カード
ｂ        紙幣
ｓ        硬貨
Ｘ        展開方向
【図１】
2020092788.tif 000003
【図２】
2020092788.tif 000004
【図３】
2020092788.tif 000005
【図４】
2020092788.tif 000006
【図５】
2020092788.tif 000007
【図６】
2020092788.tif 000008
【図７】
2020092788.tif 000009
【図８】
2020092788.tif 000010
【図９】
2020092788.tif 000011